(57)【要約】      （修正有）【課題】携帯情報端末に装着するカバー体の背部に、各種キャラクター等を模したスタンド支持体を連結して、携帯情報端末を所定の傾斜角度で立てた状態に支持可能にする携帯情報端末用スタンド具を提供する。【解決手段】所定の携帯情報端末Ｐの背部を覆う背板部２、周側部を覆う側板部３を備えて成る薄型ボックス状に形成して、携帯情報端末Ｐに装着するカバー体１と、各種キャラクター、各種人物、各種建築物、交通機関物、雑貨物、飲食物、具象物、幾何学的な立体物を模して形成してあって、携帯情報端末Ｐを所定の傾斜角度で立てさせるようカバー体１の背部に連結するスタンド支持体１０と、カバー体１にスタンド支持体１０を着脱自在、交換自在にして連結固定するようにした連結手段１５と、スタンド支持体１０における形態・姿態に関連した所定内容を表示していて、カバー体１の背部に剥離自在に貼着するシール状の背景部５とを備えて成る。【選択図】図２
0003182139.tif 000002
【実用新案登録請求の範囲】
【請求項１】
所定の携帯情報端末にその背部から被せて携帯情報端末に装着させるカバー体と、このカバー体の背部に、携帯情報端末を所定の傾斜角度で立てさせるスタンド支持体を連結手段によって連結して成ることを特徴とする携帯情報端末用スタンド具。
【請求項２】
カバー体は、携帯情報端末の背部を覆う背板部、周側部を覆う側板部を備えて成る薄型ボックス状に形成して成る請求項１に記載の携帯情報端末用スタンド具。
【請求項３】
スタンド支持体は、各種キャラクター、各種人物、各種建築物、交通機関物、雑貨物、飲食物、具象物、幾何学的な立体物を模して成る請求項１または２に記載の携帯情報端末用スタンド具。
【請求項４】
連結手段は、カバー体にスタンド支持体を着脱自在にして、複数種のスタンド支持体を交換自在にして、連結固定できるようにして成る請求項１乃至３のいずれかに記載の携帯情報端末用スタンド具。
【請求項５】
カバー体の背部には、所定内容が表示されている背景を表示形成してある請求項１乃至４のいずれかに記載の携帯情報端末用スタンド具。
【請求項６】
カバー体の背部には、所定内容が表示されているシール状の背景部を剥離自在に貼着してある請求項１乃至５のいずれかに記載の携帯情報端末用スタンド具。
【請求項７】
背景は、スタンド支持体における各種形態、姿態に対応した内容としてある請求項５または６に記載の携帯情報端末用スタンド具。
【請求項８】
スタンド支持体は、立てさせる携帯情報端末の傾斜支持角度を調整設定する伸縮自在なあるいは起伏自在な支持角度調整手段を付設して成る請求項１乃至７のいずれかに記載の携帯情報端末用スタンド具。
【請求項９】
所定の携帯情報端末の背部を覆う背板部、周側部を覆う側板部を備えて成る薄型ボックス状に形成されていて、携帯情報端末にその背部から被せて携帯情報端末に装着させるカバー体と、各種キャラクター、各種人物、各種建築物、交通機関物、雑貨物、飲食物、具象物、幾何学的な立体物を模して形成されていて、携帯情報端末を所定の傾斜角度で立てさせるようカバー体の背部に連結されると共に、立てさせる携帯情報端末の傾斜支持角度を調整設定する伸縮自在なあるいは起伏自在な支持角度調整手段を付設して成るスタンド支持体と、前記カバー体にスタンド支持体を着脱自在に、交換自在にして連結固定できるようにした連結手段と、スタンド支持体における形態・姿態に関連した所定内容が表示されていて、カバー体の背部に剥離自在に貼着されるシール状の背景部とを備えて成ることを特徴とする携帯情報端末用スタンド具。
【考案の詳細な説明】
【技術分野】
【０００１】
この考案は、携帯電話機、携帯式音楽プレーヤーその他の各種の携帯情報端末を例えば机上その他で一時的にでも立てた状態で使用するとき、携帯情報端末に取付使用することで簡単に立てることができると共に、携帯時においても自身のキャラクター等を模したスタンド支持体による装飾性、意外性等を楽しむことができるようにした携帯情報端末用スタンド具に関する。
【背景技術】
【０００２】
近時、薄型に形成した携帯電話機、携帯式の例えばＩＣ利用の音楽プレーヤー、小型化したタブレット型パーソナルコンピューターその他の携帯情報端末が各種提供されており、携帯しながらの電話機能による送受信、録音・再生機能による音楽聴取、更には各種映像の送受信による視聴その他を可能にしている。こうした携帯情報端末は、携帯することによる使用形態を考慮して製作、提供されているところ、例えば机上に置いて視聴、利用する場合には、その携帯情報端末の多くが薄型に構成されているから、そのままでは自立できず、また、ディスプレーを見易くするためには例えば適当な物品、壁その他に立て掛ける必要がある。
【０００３】
このような事情に鑑み、各種の携帯情報端末を立てるために、従来、例えば特許文献１に示される携帯端末スタンド、特許文献２に示される携帯端末機用カバーケース、特許文献３に示される携帯端末用スタンド等が提案されている。特許文献１のスタンドは、携帯端末を載置する載置部と、支持する背板部とを噛み合い状に交差させて組合せ、載置部に連続させた脚部によって携帯端末を支持するスタンドを構成し、背板部面に貼着可能にしたシールを脱着させるシール脱着孔を背板部に設けて成る。特許文献２のカバーケースは、背板部、枠部によって携帯端末機に被せるケース本体を構成し、背板部には、背板部自体に格納される格納姿勢と背面方向に拡開した展開姿勢となるようにに回動するスタンド手段を設けて成る。特許文献３のスタンドは、人型を模したマスコットにストラップ部と、吸盤等の貼着部材とを設け、ストラップ部によって携帯端末に差し込み連繋可能にし、貼着部材を携帯端末に貼着するときのマスコット自体の屈曲角度の調整で携帯端末を立脚状に支持するようにして成る。
【先行技術文献】
【特許文献】
【０００４】
【特許文献１】登録実用新案第３１７４５８０号公報
【特許文献２】登録実用新案第３１７６００５号公報
【特許文献３】登録実用新案第３１７５０６３号公報
【考案の概要】
【考案が解決しようとする課題】
【０００５】
ところが、特許文献１のスタンドでは、部材が交差状に組み合わせられた形態となっているために、例えば机上に置くように支持できても、携帯端末機と共に常時携帯するのは不便である。特許文献２のカバーケースは、携帯端末機に被せておくことでその保護カバーとして携帯端末機の保護を兼ねることはできても、被せておくだけの機能しか有せず、携帯時の意外性、面白味に欠ける。特許文献３のスタンドは、ストラップ具を兼ねたマスコットを人型を模した支持具として構成し、その屈曲角度の調整で携帯端末を縦方向、横方向で支持できても、マスコットの形態は人型であるから、様々なバラエティに富む形態とすることはできず、長期に亘る使用では飽きてしまうものである。
【０００６】
そこでこの考案は上述したような従来存した諸事情に鑑み案出されたもので、その目的は例えば携帯電話機、音楽プレーヤーなどの各種の薄型の携帯情報端末をその背板部から覆うように被せたカバー体に、いわゆるキャラクターを模した立体状のスタンド支持体を着脱自在に連結することで、スタンド支持体によって携帯情報端末を立てた状態に支持でき、またそのスタンド支持体の形態・姿態等に関連する背景が表示されたシール状の背景部をカバー体に交換可能にして貼着自在にし、スタンド支持体の意外性、面白みを一層富ませて見栄えのあるものとできる携帯情報端末用スタンド具を提供することにある。
【課題を解決するための手段】
【０００７】
上述した課題を解決するため、この考案にあっては、後述する考案を実施するための形態における使用符号を付記して説明すると、所定の携帯情報端末Ｐにその背部から被せて携帯情報端末Ｐに装着させるカバー体１と、このカバー体１の背部に、携帯情報端末Ｐを所定の傾斜角度で立てさせるスタンド支持体１０を連結手段１５によって連結して成ることを特徴とする。
カバー体１は、携帯情報端末Ｐの背部を覆う背板部２、周側部を覆う側板部３を備えて成る薄型ボックス状に形成することができる。
スタンド支持体１０は、各種キャラクター、各種人物、各種建築物、交通機関物、雑貨物、飲食物、具象物、幾何学的な立体物を模して構成することができる。
連結手段１５は、カバー体１にスタンド支持体１０を着脱自在にして、複数種のスタンド支持体１０を交換自在にして、連結固定できるようにして成ることで構成することができる。
カバー体１の背部には、所定内容が表示されている背景を表示形成したり、あるいは所定内容が表示されているシール状の背景部５を剥離自在に貼着したりして構成することができ、また、スタンド支持体１０における各種形態、姿態に対応した内容とする背景を表示形成することで構成することができる。
スタンド支持体１０は、立てさせる携帯情報端末Ｐの傾斜支持角度を調整設定する伸縮自在なあるいは起伏自在な支持角度調整手段１１を付設して構成することができる。
また、具体的には、所定の携帯情報端末Ｐの背部を覆う背板部２、周側部を覆う側板部３を備えて成る薄型ボックス状に形成されていて、携帯情報端末Ｐにその背部から被せて携帯情報端末Ｐに装着させるカバー体１と、各種キャラクター、各種人物、各種建築物、交通機関物、雑貨物、飲食物、具象物、幾何学的な立体物を模して形成されていて、携帯情報端末Ｐを所定の傾斜角度で立てさせるようカバー体１の背部に連結されると共に、立てさせる携帯情報端末Ｐの傾斜支持角度を調整設定する伸縮自在なあるいは起伏自在な支持角度調整手段１１を付設して成るスタンド支持体１０と、前記カバー体１にスタンド支持体１０を着脱自在に、交換自在にして連結固定できるようにした連結手段１５と、スタンド支持体１０における形態・姿態に関連した所定内容が表示されていて、カバー体１の背部に剥離自在に貼着されるシール状の背景部５とを備えて成ることを特徴とする。
【０００８】
以上のように構成されたこの考案に係る携帯情報端末用スタンド具にあって、例えば携帯電話機、音楽プレーヤーの如き各種の薄型の携帯情報端末Ｐにカバー体１を被せておくことで、カバー体１に連結したスタンド支持体１０によって例えば机上等で携帯情報端末Ｐを立てて置かせるものとさせ、携帯情報端末Ｐ前面のディスプレーを見易くさせる。
各種形態・姿態とさせたスタンド支持体１０は、連結手段１５による着脱、交換自在性によって様々な意外性、面白みを発揮させ、携帯情報端末Ｐの使用時、あるいは載置時における雰囲気を和ませる。
カバー体１における背板部２に貼着自在で交換自在である背景部５は、所定のスタンド支持体１０における形態・姿態に対応させて、これに関連する背景を表示することでスタンド支持体１０との一体性を増大させる。
スタンド支持体１０に付設した支持角度調整手段１１は、スタンド支持体１０自体によって携帯情報端末Ｐを立てるとき、伸張引き出されることで携帯情報端末Ｐを立てるように支持させ、逆に縮小収納させることで寝かせるように支持させることで携帯情報端末Ｐの傾斜支持角度を調整設定させる。
【考案の効果】
【０００９】
この考案は以上説明したように構成されているため、例えば携帯電話機、音楽プレーヤーなどの各種の薄型の携帯情報端末Ｐをその背板部から覆うように装着させたカバー体１に、いわゆるキャラクターを模したスタンド支持体１０を連結することで、このスタンド支持体１０によって携帯情報端末Ｐを所定の傾斜角度で立てた状態として支持することができる。またスタンド支持体１０の背部において、各種のキャラクターを模した形態・姿態等に関連する背景が表示されていることと相俟ち、その意外性、面白みを一層富ませて見栄えのあるものとすることができる。
【００１０】
すなわち、これはこの考案において、所定の携帯情報端末Ｐにその背部から被せて携帯情報端末Ｐに装着させるカバー体１と、このカバー体１の背部に、携帯情報端末Ｐを所定の傾斜角度で立てさせるスタンド支持体１０を連結手段１５によって連結して成るからである。これによって、携帯情報端末Ｐの傾斜状態での起立支持、スタンド支持体１０におけるキャラクター等を模した形態・姿態による和やかな雰囲気の醸成、更には背景あるいは背景部５による所定内容の背景表示との組合せによる意外性、面白みの実現を期待できる。
【００１１】
また、カバー体１は、背板部２、側板部３を備えることで、所定の薄型の各種の携帯情報端末Ｐをその背部から被せるように装着することができ、装着することで携帯情報端末Ｐを外部からの衝撃その他から保護できる。
【００１２】
スタンド支持体１０は、各種キャラクター、各種人物、各種建築物、交通機関物、雑貨物、飲食物、具象物、幾何学的な立体物を模して成るので、それぞれの形態・姿態による様々な態様とすることができ、それに相応しい雰囲気を周囲に醸成する。
【００１３】
カバー体１とスタンド支持体１０とは、着脱自在、交換自在にさせる連結手段１５によって連結されるから、複数の異なる各種のスタンド支持体１０を各別に用意しておくことで、これらを取り替え可能にして選択連結でき、しかもこれに相応しい所定の背景内容が表示されているカバー体１の背板部２面、あるいはカバー体１の背部に貼着される背景部５との組合せと相俟ち、意外性、面白み等を一層増大できる。
【００１４】
スタンド支持体１０には、携帯情報端末Ｐの傾斜支持角度を調整設定する伸縮自在なあるいは起伏自在な支持角度調整手段１１を付設してあるから、その伸張引出しで傾斜角度を大きく、逆に縮小収納で小さくでき、携帯情報端末Ｐにおける例えばディスプレー面を見易い角度に調整設定できる。
【００１５】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１６】
【図１】この考案を実施するための一形態を示す分解斜視図である。
【図２】同じく傾斜角度を小さくして寝かせるようにした状態で立てたときの使用状態の一部切欠側面図である。
【図３】同じく傾斜角度を大きくした状態で立てたときの使用状態の一部切欠側面図である。
【図４】同じく一部切欠背面図である。
【考案を実施するための形態】
【００１７】
以下、図面を参照してこの考案を実施するための一形態を説明すると、図において示される符号１は所定の携帯情報端末Ｐ、例えば薄型のタッチパネル操作式の携帯電話機、薄型のＩＣ音楽プレーヤー、タブレット型のパーソナルコンピュータその他に装着される薄型ボックス状のカバー体である。このカバー体１は、携帯情報端末Ｐにおける前面のディスプレー部はそのまま外観できるようにして、携帯情報端末Ｐの背部を覆う背板部２、例えば左右側の周側部を覆う側板部３を備えて成り、背板部２、側板部３それぞれには携帯情報端末Ｐにおける背部、側部それぞれに設けられている、イヤホンその他のアクセサリー部材接続用の端子口、各種操作用スイッチ・ボタンその他のために開口あるいは切欠されている連繋部が形成されている。
【００１８】
そして、このカバー体１における背板部２には、各種のいわゆるキャラクター、具象物、抽象物その他の形状を模した立体状のスタンド支持体１０が、連結手段１５によって着脱自在に連結されている。このスタンド支持体１０の形状は、立体的に形成されており、例えば漫画・アニメ・小説等の各種キャラクター、タレント・芸人その他の各種人物、各種動物等を様々な姿態とるように模して成る。あるいは例えば歴史的、著名的な各種建築物、自動車・鉄道車両・飛行機・船舶等の交通機関物、文具・日用品・玩具・雑貨等の雑貨物、食材・食品・飲料等の飲食物等の具体的な事象物であったり、幾何学的な立体物であったりしても良く、要は携帯情報端末Ｐを立て掛け支持するものとしての面白みがあり、意外性がある「モノ」としてあることが望ましく、特に限定されるものではない。
【００１９】
このスタンド支持体１０は、カバー体１に対して１種類とすることに限らないのであり、様々な「モノ」を複数で用意しておき、連結手段１５による連結構成を共通にしておいて交換自在にしてカバー体１に連結することもでき、様々な形態・態様のスタンド支持体１０によって楽しむことができるものとしても良い。
【００２０】
連結手段１５は、図示例にあっては背板部２に形成した例えば側面Ｊ字状のフック部１６と、スタンド支持体１０の背板部に形成した例えば窪み状の係止凹部１７とから成り、係止凹部１７をフック部１６に引っ掛けることでスタンド支持体１０をカバー体１に着脱自在に連結できるようにしてある。フック部１６の背板部２に設ける位置、すなわち背板部２における例えば上下部、左右部の選定、スタンド支持体１０自体の大きさすなわち例えば机上に載置するときの載置面となる下面と係止凹部１７との間隔等の選定によって、携帯情報端末Ｐを載置するときの傾斜角度を設定できる。この傾斜角度の設定は例えば６０〜７０度程度となるようにしてあるも、これに限定されるものではない。
【００２１】
この連結手段１５のフック部１６を背板部２の複数の各所に設けておくことで、携帯情報端末Ｐの縦方向に沿わせて、あるいは横方向に沿わせて、さらにはその傾斜角度を選択して支持させることも可能である。
【００２２】
尚、この連結手段１５の構成は、フック部１６、係止凹部１７とする場合に限らず、例えば雌雄の面ファスナ、スナップ、ボタン、爪、剥離・再接着可能な粘着剤その他とすることもでき、図示例及びこれらの例示に限定されるものではない。
【００２３】
また、スタンド支持体１０には、立てさせる携帯情報端末Ｐの傾斜支持角度を調整設定する伸縮自在なあるいは起伏自在な支持角度調整手段１１を付設してある。この支持角度調整手段１１は、例えばスタンド支持体１０の下部に引出し、収納自在な例えばキャラクター等における脚部を呈するような伸縮バーを、あるいは起立、倒伏する、例えば同じくキャラクター等における腕部を呈するような起伏レバーを有して形成してあり、引出しによって携帯情報端末Ｐを立てるようにしたり（図３参照）、逆に収納によって寝かせるようにしたり（図２参照）して調整できるようにしてある。こうすることで、例えば携帯情報端末Ｐを机上に置いたときのディスプレー等を見易い角度に調整設定できるようにしている。
【００２４】
また、カバー体１における背板部２には、所定のキャラクター等を模したスタンド支持体１０における形態・姿態等に対応させて、例えばそのキャラクター等を際立たせるような背景に相応しい内容を表示した背景部５が形成されており、スタンド支持体１０のキャラクター等の態様が飛び出すような印象を与えるようにしている。この背景部５は、例えば背板部２自体の表面に例えば印刷によって直接に表示形成したり、所定内容の背景が表示印刷されているシート・フィルム状のシール材が貼着されることで形成されたりする。この背景部５をシール形態として形成する場合には、表示内容が複数種とされるシール材の裏面に貼着・剥離自在な粘着剤を塗布しておき、スタンド支持体１０の形態・姿態等に対応して適宜に選択することで交換自在に貼着することで、スタンド支持体１０の交換・着脱自在性と相俟ってそれらの各種の組合せによる面白み等を楽しむことができるようにしている。尚、図中符号６は、連結手段１５における例えばフック部１６を回避するための回避孔である。
【００２５】
次にこれの使用の一例を説明すると、所定の携帯情報端末Ｐに対応させたカバー体１を携帯情報端末Ｐに装着させる一方、所定のキャラクター等を模してあるスタンド支持体１０をカバー体１の背板部２に連結手段１５によって連繋し、固定する。携帯情報端末Ｐの使用に際し、例えばスタンド支持体１０を握持することで携帯情報端末Ｐを操作することも可能であり、また机上その他にスタンド支持体１０によって所定の傾斜角度で立てることで、携帯情報端末Ｐのディスプレーを見ることができる。
【００２６】
また、連結手段１５の解除によってスタンド支持体１０をカバー体１から分離し、他のスタンド支持体１０をカバー体１に連結したり、スタンド支持体１０に対応させて背景部５を例えばシール材の着脱によって交換したりして、楽しむ。
【符号の説明】
【００２７】
Ｐ…携帯情報端末
１…カバー体                            ２…背板部
３…側板部
５…背景部                              ６…回避孔
１０…スタンド支持体                    １１…支持角度調整手段
１５…連結手段                          １６…フック部
１７…係止凹部
【図１】
0003182139.tif 000003
【図２】
0003182139.tif 000004
【図３】
0003182139.tif 000005
【図４】
0003182139.tif 000006